(57)【特許請求の範囲】
【請求項１】
プラスチック絶縁電力ケーブルの端部を段剥ぎされて露出した２本の導体（２）の端部を導体接続管（３）の両側から挿入し、これを圧縮することにより形成された導体接続部（４）とその両側のケーブル絶縁体（５）を覆い、且つケーブル外部半導電層（６）に跨るように、これらの外周に装着されたプレモールドゴム絶縁筒（１０）を備え、このプレモールドゴム絶縁筒（１０）は、ゴム系材料をベースにして形成された複数層からなるプラスチック電力ケーブル接続用のプレモールドゴム絶縁筒であって、内層全面に少なくとも比誘電率１０の高誘電体ゴム層（１１）が形成されており、かつ内面中央部に断面がシート状の半導電層を一体に形成された内部電極（１４）を有し、前記内部電極（１４）の両端は鋭角なテーパに形成してあり、このテーパ面と前記高誘電体ゴム層（１１）との境界面に高誘電体油層（１５）を設けた構成であり、前記プレモールドゴム絶縁筒（１０）の外部半導電層（１３）と前記ケーブル外部半導電層（６）とを、半導電性ゴムテープ巻回部（８）によって電気的に接続してあることを特徴とするプラスチック絶縁電力ケーブル接続部。
【発明の詳細な説明】
【０００１】
【発明の属する技術分野】
本発明は、プラスチック絶縁電力ケーブルの接続に用いるプレモールドゴム絶縁筒、特に、構造を簡略化、低コスト化することを可能としたプレモールドゴム絶縁筒を装着したプラスチック絶縁電力ケーブルの接続部に関する。
【０００２】
【従来の技術】
架橋ポリエチレン絶縁に代表されるプラスチック絶縁電力ケーブルは、その優れた絶縁性と取り扱い容易さによって急速に汎用化の道をたどってきている。それに伴い、ケーブル接続作業の総数が増大し、これらの作業の簡素化、短時間化に対する要求が大きくなっている。
【０００３】
近年、接続時間が短く、簡単に接続可能なジョイントとして、内部半導電層、絶縁層、外部半導電層で形成されたゴムブロックを用いたプレハブ型接続部や、さらには図４に示す１ピース・プレモールドゴム絶縁筒を装着した接続部が実用化されている。
【０００４】
図４に示す接続部は、導体２の接続部およびケーブル絶縁体５を覆い、且つケーブル外部半導電層６に跨るように、これらの外周に装着されたプレモールドゴム絶縁筒２０と、図示されていないが、絶縁筒２０を覆う２つ割り型の保護カバーと、その両端に形成された防水処理部とを備えている。図４に示すプレモールドゴム絶縁筒２０は、一般に絶縁性能が高く、また成形加工性に優れたエチレンプロピレンゴムをベースゴムとして使用し、内部半導電層２１、補強絶縁層２２および外部半導電層２３とが一体的にモールド成形された、全体で１つの部品（１ピース）で構成されており、接続施工面で簡略化が進められている。
【０００５】
【発明が解決しようとする課題】
しかしながら、上記のプレモールドゴム絶縁筒の製作には各層ごとに金型が必要であり、製作時間，コストがかかってしまうという問題がある。
【０００６】
本発明は上記の問題点に鑑みてなされたもので、その目的とするところは、プレモールドゴム絶縁筒の構造を簡略化することにより製作時間の短縮化を図ると共に、ゴム絶縁筒をコンパクトにして接続部の組立作業の簡素化を図り、接続部の形成に要する費用を低減させるものである。
【０００７】
【課題を解決するための手段】
上記の目的を達成するために、本発明においては、従来、電界遮蔽，電界コントロール用に必要であったゴム絶縁筒の内部電極である内部半導電層を省略し、変わりに、ゴム絶縁筒の内部全面に高誘電体ゴム層を設けて、電界をコントロールするものである。
【０００８】
すなわち、本発明は、プラスチック絶縁電力ケーブルの端部を段剥ぎされて露出した２本の導体の端部を導体接続管の両側から挿入し、これを圧縮することにより形成された導体接続部とその両側のケーブル絶縁体を覆い、且つケーブル外部半導電層に跨るように、これらの外周に装着されたプレモールドゴム絶縁筒を備え、このプレモールドゴム絶縁筒は、ゴム系材料をベースにして形成された複数層からなるプラスチック電力ケーブル接続用のプレモールドゴム絶縁筒であって、内層全面に少なくとも比誘電率の高誘電体ゴム層が形成されており、かつ内面中央部に断面がシート状の半導電層を一体に形成された内部電極を有し、前記内部電極の両端は鋭角なテーパに形成してあり、このテーパ面と前記高誘電体ゴム層との境界面に高誘電体油層を設けた構成であり、前記プレモールドゴム絶縁筒の外部半導電層と前記ケーブル外部半導電層とを、半導電性ゴムテープ巻回部によって電気的に接続してあることを特徴とするものである。
【００１２】
【発明の実施の形態】
本発明の実施の形態を図面を参照しながら説明する。図１は本発明に係るプレモールドゴム絶縁筒１０の構成を示す断面図である。このプレモールドゴム絶縁筒１０は、絶縁性能が高く、また成形加工性に優れたエチレンプロピレンゴムをベースゴムとして使用し、高誘電体ゴム層１１、絶縁層１２および外部半導電層１３とが一体的にモールド成形された、全体で１つの部品（１ピース）で構成されている。このゴム絶縁筒１０の成形は、金型中子に高誘電体ゴムテープを巻きつけたうえで金型（外型）をセットして、あるいは、高誘電体ゴムチューブを予め押出し成形しておき、これを金型中子にセットしたうえで金型をセットして、金型内に絶縁ゴム層および外部半導電層を押出し成形したのち、加熱モールドするものである。
【００１３】
図２は本発明に係るプレモールドゴム絶縁筒１０の他の実施例の構成を示す断面図である。図２のプレモールドゴム絶縁筒１０は、図１の構成のゴム絶縁筒の内面中央部に断面がシート状の内部電極１４である半導電層を一体に成形したものである。この場合の成形は、金型中子に半導電ゴムテープと高誘電体ゴムテープを巻きつけ、あるいは、予め各々のチューブに成形したものを金型中子にセットし、上述の成形法と同様に成形できる。また、拡大図に示したように、前記内部電極１４の両端部は鋭角なテーパ面に形成してあり、内部電極１４のテーパ面と高誘電体ゴム層１１の境界面（隙間）に高誘電体油１５を充填しておくことによりボイドレスとする。
【００１４】
図３は本発明に係るプレモールドゴム絶縁筒１０を用いたプラスチック絶縁電力ケーブル接続部Ｎの主要構成を示す断面図である。この接続部Ｎは、プラスチック絶縁電力ケーブルの端部が段剥ぎされて露出した２本の導体２の端部を導体接続管３の両側から挿入し、これを圧縮することにより形成された導体接続部４とその両側のケーブル絶縁体５を覆い、且つケーブル外部半導電層６に跨るように、これらの外周に装着されたプレモールドゴム絶縁筒１０とで構成される。なお、７は導体接続部４を覆うように設けられて導体２とプレモールドゴム絶縁筒１０の内部電極１４とを電気的に接続する金属製または導電性ゴムの導体接続管３のカバーであり、８はプレモールドゴム絶縁筒１０の外部半導電層１３とケーブル外部半導電層６とを電気的に接続する半導電性ゴムテープ巻回部である。さらに図示していないが、外側には全体を覆うように保護カバーおよびその両端とケーブルシース間を液密に密封する防水処理部が設けられている。
【００１５】
また、図３におけるプレモールドゴム絶縁筒１０を図１に示すプレモールドゴム絶縁筒を使用し、導体接続部４の外周に半導電テープを巻き内部電極を形成することも可能である。この場合は、半導電テープ巻回層の先端部に高誘電体油を塗布して前記のプレモールドゴム絶縁筒を装着する。
【００１６】
なお、プレモールドゴム絶縁筒１０の高誘電体ゴム層１１の比誘電率を少なくとも１０としたのは、ケーブル外部半導電層端部、あるいは導体接続部上の内部半導電層先端部の電界傾度の低減を図り、必要な電気絶縁性能を得るための下限であるからである。
【００１７】
【発明の効果】
本発明によれば、ゴム絶縁筒の構造が簡略化されたことで、各層ごとの金型は不要となり、製作時間，製造コストは大幅に低減できる。これを用いたプラスチック絶縁電力ケーブル接続部において、ゴム絶縁筒の内層が高誘電体ゴム層で形成されてなることから、ケーブル絶縁体とゴム絶縁筒の界面の電界を緩和することができる。その結果、ゴム絶縁筒の絶縁厚を薄くすることが可能となり、そのゴム絶縁筒の寸法をコンパクトにし、その取扱いが容易になる。
【図面の簡単な説明】
【図１】本発明に係るプレモールドゴム絶縁筒の半部縦断面図である。
【図２】本発明に係るプレモールドゴム絶縁筒の他の実施例の半部縦断面図である。
【図３】本発明に係るプレモールドゴム絶縁筒を用いたＣＶケーブルの接続部の主要構成を示す半部断面図である。
【図４】従来のプレモールドゴム絶縁筒を用いたＣＶケーブル接続部の半部断面図である。
【符号の説明】
Ｎ  中間接続部
１  ＣＶケーブル
２  導体
３  導体接続管
５  ケーブル絶縁体
６  ケーブル外部半導電層
１０  プレモールドゴム絶縁筒
１１  高誘電体ゴム層
１２  絶縁層
１３  外部半導電層
１４  内部電極
１５  高誘電体油
【図１】
0003786857.tif 000002
【図２】
0003786857.tif 000003
【図３】
0003786857.tif 000004
【図４】
0003786857.tif 000005